(57)【要約】【課題】セルラ方式の移動通信システムにおいて、移動局に対する周辺セル情報の新たな提供方法を実現する。【解決手段】移動端末は、在圏セルあるいは移動先セル等の対象セルの周辺セル情報と、この周辺セル情報の版情報と、を互いに関連付けて保持するための端末データベースを有する。このとき、移動端末は、版情報を送信し、版情報を保持しないときは版情報を保持しないことを表す非保持情報を基地局に向けて送信する。基地局は、対象セルの識別情報に基づいて対象セルの最新の周辺セル情報と最新の版情報とを取得するとともに、移動端末から送信された情報に基づいて、取得した最新の周辺セル情報および最新の版情報の移動端末への通知の要否を判定する。基地局は、移動端末への通知を不要と判定する場合、最新の周辺セル情報および最新の版情報の通知を中止する。【選択図】  図１
2010226602.tif 000002
【特許請求の範囲】
【請求項１】
移動端末と基地局を備えるセルラ方式の移動通信システムであって、
前記移動端末は、
前記移動端末の在圏セル及びハンドーバ時の移動先セルのうちいずれか一方の対象セルの識別情報と、該対象セルに隣接した周辺セルの情報を表す周辺セル情報と、前記周辺セル情報の版情報と、を互いに関連付けて保持するための端末データベースと、
前記端末データベースに前記対象セルの前記周辺セル情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信する第１の通信部と、を備え、
前記基地局は、
前記対象セルの識別情報に基づいて前記対象セルの最新の周辺セル情報と最新の版情報とを取得するとともに、前記移動端末から送信された前記対象セルの識別情報及び前記版情報又は第１の非保持情報に基づいて、取得した前記最新の周辺セル情報および前記最新の版情報を前記移動端末へ通知するか否かの要否を判定するセル情報管理部と、
前記移動端末への通知を要すると判定する場合、前記最新の周辺セル情報を前記最新の版情報とともに前記移動端末に通知する第２の通信部と、を備えることを特徴とする移動通信システム。
【請求項２】
前記第１の通信部が送信する情報が前記版情報を含み、前記移動端末から送信された前記版情報が前記セル情報管理部が取得した最新の版情報と同じとき、前記セル情報管理部は、前記移動端末への通知を不要と判定し、前記第２の通信部は通知を中止する、請求項１に記載の移動通信システム。
【請求項３】
前記基地局は、前記対象セルの周辺セル情報と版情報とを保持する基地局データベースを有し、
前記セル情報管理部は、前記基地局データベースが保持する前記対象セルの周辺セル情報および版情報を呼び出し前記最新の周辺セル情報および前記最新の版情報として取得する、請求項１または２に記載の移動通信システム。
【請求項４】
前記対象セルが、前記基地局に隣接する隣接基地局が管理する移動先セルであり、前記移動端末から送信された情報が前記版情報を含み、かつ、前記版情報が前記隣接基地局のセルの周辺セル情報に関する情報である場合、
前記基地局は、前記移動先セルの周辺セル情報の版情報を保持するとき保持する該版情報を基地局所持情報として前記隣接基地局に向けて送信し、前記移動先セルの周辺セル情報を保持しないとき周辺セル情報を保持しないことを表す第２の非保持情報を基地局所持情報として前記隣接基地局に向けて送信し、
前記隣接基地局は、前記基地局所持情報に応じて、前記隣接基地局が保持する前記移動先セルの周辺セル情報および版情報を前記基地局に通知し、
前記セル情報管理部は、前記隣接基地局から通知された周辺セル情報および版情報を、前記最新の周辺セル情報および前記最新の版情報として取得する、請求項１〜３のいずれか１項に記載の移動通信システム。
【請求項５】
前記基地局所持情報が、前記基地局が保持する版情報を含むとき、前記隣接基地局は、前記基地局から送信された版情報が、前記隣接基地局が保持する前記移動先セルの周辺セル情報の版情報と同じか否かを判定し、前記基地局から送信された版情報が、前記隣接基地局が保持する版情報と同じとき、前記隣接基地局が保持する前記移動先セルの版情報と周辺セル情報を前記基地局に通知することを中止する、請求項４に記載の移動通信システム。
【請求項６】
前記端末データベースは、基地局に対応したセル毎の在圏回数の情報、在圏時間の情報、および、セルへの最新入時刻と最新出時刻の情報の少なくともいずれか１つを在圏管理テーブルに記録し、
前記移動端末は、ハンドオーバ時、前記在圏管理テーブルを用いてハンドオーバ先の基地局を定める、請求項１〜５のいずれか１項に記載の移動通信システム。
【請求項７】
前記端末データベースは、基地局に対応したセル毎の在圏回数の情報、在圏時間の情報、および、セルへの最新入時刻と最新出時刻の情報を履歴情報として記録し、
前記移動端末のハンドオーバの条件は、前記在圏回数１回当たりの平均在圏時間が所定時間を超え、かつ、前記最新入時刻および前記最新出時刻が所定の時刻以降である条件を含む、請求項６に記載の移動通信システム。
【請求項８】
セルラ方式の移動通信システムに用いる移動端末であって、
前記移動端末の在圏セル及びハンドーバ時の移動先セルのうちいずれか一方の対象セルの識別情報と、この対象セルに隣接した周辺セルの情報を表す周辺セル情報と、前記周辺セル情報の版情報と、を互いに関連付けて保持するための端末データベースと、
前記端末データベースに前記対象セルの前記周辺セル情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信する第１の通信部と、を備えることを特徴とする移動端末。
【請求項９】
セルラ方式の移動通信システムに用いる基地局であって、
移動端末の在圏セル及びハンドーバ時の移動先セルのうちいずれか一方の対象セルに隣接した周辺セルの情報を表す周辺セル情報の版情報を前記対象セルの識別情報とともに移動端末から受信し、または、該版情報を保持しないことを表す第１の非保持情報を前記対象セルの識別情報とともに移動端末から受信する第２の通信部と、
前記対象セルの識別情報に基づいて前記対象セルの最新の周辺セル情報と最新の版情報とを取得するとともに、前記第２の通信部が受信した前記対象セルの識別情報及び前記版情報又は前記第１の非保持情報に基づいて、取得した前記最新の周辺セル情報および前記最新の版情報を前記移動端末へ通知するか否かの要否を判定するセル情報管理部と、
前記移動端末への通知を要すると判定する場合、前記最新の周辺セル情報を、前記最新の版情報とともに前記移動端末に通知する第２の通信部と、を備えることを特徴とする基地局。
【請求項１０】
基地局と移動端末との間の通信により、移動端末が周辺セル情報を取得する方法であって、
移動端末の在圏セル及びハンドーバ時の移動先セルのうちいずれか一方の対象セルの識別情報と、この対象セルに隣接した周辺セルの情報を表す周辺セル情報と、前記周辺セル情報の版情報と、を互いに関連付けて保持するための端末データベースを移動端末は有し、
前記移動端末は、前記端末データベースに前記版情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信するステップと、
前記基地局は、前記対象セルの識別情報に基づいて前記対象セルの最新の周辺セル情報と最新の版情報とを取得するとともに、前記移動端末から送信された前記対象セルの識別情報及び前記版情報又は第１の非保持情報に基づいて、取得した前記最新の周辺セル情報および前記最新の版情報を前記移動端末へ通知するか否かの要否を判定するステップと、
前記基地局は、前記移動端末への通知を要すると判定する場合、前記最新の周辺セル情報を前記最新の版情報とともに前記移動端末に通知するステップと、を有することを特徴とする周辺セル情報取得方法。
【発明の詳細な説明】
【技術分野】
【０００１】
本発明は、基地局と移動端末とを備えるセルラ方式の移動通信システム、このシステムに用いる移動端末および基地局、さらに、基地局と移動端末との間の通信により、移動端末が周辺セル情報を取得する周辺セル情報取得方法に関する。
【背景技術】
【０００２】
今日のセルラ方式の移動通信システムでは、基地局はそれぞれセル、すなわちサービスエリアを監視し、このエリア内で携帯電話等の移動端末（以降、移動局という）と通信を行う。基地局は、移動局に対して移動局が在圏するサービスエリア自身のセル情報のほかに、このセルの周辺セルに関するセル情報（周辺セル情報）についても、送信を行っている。周辺セル情報は、対象とするセルの周囲に隣接する周辺セルのセル情報であり、例えば、割り振られた周波数帯域や、隣接する各セルで使用するPrimary CPICH(Common Pilot Channel)のスクランブリングコードや、セル間のタイミングオフセット等をはじめ多くの情報を含む。周辺セル情報は、１つのセルに対して１つユニークに定められており、移動局がセルを横切って隣接セルに移動するとき、移動局は、移動先セルの周辺セル情報の取得が必要である。このような周辺セル情報を基地局側から移動局に向けて送信するのは、移動局の移動に伴ってハンドオーバを円滑に行うためである。この周辺セル情報は、在圏セルのセル情報とともに、基地局から移動局に対して一律に送信されている。
【０００３】
このような周辺セル情報の送信は、基地局と移動局間の制御信号トラフィックによるオーバヘッドの増大に繋がり、無線で送受する制御信号量が増大する。また、基地局間を跨って移動極が移動するとき、基地局間でも周辺セル情報を送受するため、基地局間の制御信号トラフィックによるオーバヘッド増加に繋がる。
【０００４】
このような状況下、下記特許文献１には、基地局から移動通信端末に送信する基地局切り替え用の報知情報の情報量を最小限にし、システム資源を有効活用し、ソフトハンドオーバー等の頻度を抑制し、セルに対する総干渉量を削減する移動通信端末および移動通信処理方法が記載されている。
【０００５】
当該公報に記載される移動通信処理方法では、基地局から移動端末に対し報知する報知情報として基地局の位置情報（円の中心）及び半径情報（セルの大きさ、セルサーチ許可半径、セルサーチ許可半径、ソフトハンドオーバー促進位置、ソフトハンドオーバー促進位置半径等の情報）のみを提供し、移動端末では自端末の現在位置を割り出す機能有するとともにセルラ通信方式のセル配置の地図の作成を可能とするように構成している。この構成により、移動端末では提供された極めて僅かなデータ量の報知情報と自端末の現在位置とからソフトハンドオーバーおよびセルサーチの動作処理を行うことができる。したがって、報知情報の情報量を最小限にし、システム資源を有効活用し、ソフトハンドオーバー等の頻度を抑制し、セルに対する総干渉量を削減することができる、とされている。
【０００６】
しかし、基地局は、基地局の位置情報及び半径情報を報知情報として移動局（移動端末）に送信するので、報知情報の情報量の低減に繋がらない。また、移動局では、ＧＰＳ（Global Positioning System）等の、自局の現在位置を割り出す機能と、セルラ通信方式のセル配置の地図の作成を可能とする機能を有する必要があるので、移動局の構成が煩雑になる、といった問題がある。
【先行技術文献】
【特許文献】
【０００７】
【特許文献１】特開２００３−１９９１３７号公報
【発明の概要】
【発明が解決しようとする課題】
【０００８】
そこで、１つの側面では、移動局に対する周辺セル情報の新たな提供方法を提示することを目的とする。
他の側面では、移動局と基地局間の制御信号トラフィックの削減または基地局間の制御信号トラフィックの削減を可能とすることを目的とする。
【課題を解決するための手段】
【０００９】
第１の態様では、基地局と移動端末との間の通信により、移動端末が周辺セル情報を取得する以下の移動通信システムを用いる。
また、第２の態様では、基地局と移動端末との間の通信により、移動端末が周辺セル情報を取得する以下の周辺セル情報取得方法を用いる。
移動端末は、移動端末の在圏セル及びハンドーバ時の移動先セルのうちいずれか一方の対象セルの識別情報と、この対象セルに隣接した周辺セルの情報を表す周辺セル情報と、前記周辺セル情報の版情報と、を互いに関連付けて保持するための端末データベースを有する。
このとき、移動通信システムおよび周辺セル情報取得方法は、以下の機能または処理を行う。
（Ａ）移動端末は、前記端末データベースに前記版情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信する。
（Ｂ）基地局は、前記対象セルの識別情報に基づいて前記対象セルの最新の周辺セル情報と最新の版情報とを取得するとともに、前記移動端末から送信された前記対象セルの識別情報及び前記版情報又は第１の非保持情報に基づいて、取得した前記最新の周辺セル情報および前記最新の版情報を前記移動端末へ通知するか否かの要否を判定する。
（Ｃ）さらに、基地局は、前記移動端末への通知を要すると判定する場合、前記最新の周辺セル情報を前記最新の版情報とともに前記移動端末に通知する。
【発明の効果】
【００１０】
上記移動通信システムおよび周辺セル情報取得方法では、移動局に対する周辺セル情報の新たな提供方法を得ることができる。
また、ひいては、移動局と基地局間の制御信号トラフィックの削減、または、基地局間の制御信号トラフィックを削減することもできる。
【図面の簡単な説明】
【００１１】
【図１】本発明の移動通信システムの一実施形態の概略の構成図である。
【図２】（ａ）〜（ｃ）は、図１に示す移動通信システムで用いるテーブルの一例を示す図である。
【図３】（ａ），（ｂ）は、図１に示す移動通信システムで行われる周辺セル情報あるいは版数の送受信の流れの一例を説明する図である。
【図４】図１に示す移動通信システムで行われる周辺セル情報あるいは版数の送受信の流れの他の例を説明する図である。
【図５】図１に示す移動通信システムで行われる周辺セル情報あるいは版数の送受信の流れの他の例を説明する図である。
【図６】図１に示す移動通信システムで行われる周辺セル情報あるいは版数の送受信の流れの他の例を説明する図である。
【図７】移動局がサービスエリアを横切って移動する例を説明する図である。
【図８】（ａ），（ｂ）は、図１に示す移動通信システムで用いる在圏管理テーブルの更新の一例を説明する図である。
【図９】図１に示す移動通信システムで行われるハンドオーバ時の処理の流れを説明するフローチャートである。
【発明を実施するための形態】
【００１２】
以下、本発明の移動通信システム、移動端末、基地局および周辺セル情報取得方法について詳細に説明する。
【００１３】
（システムの構成）
図１は、本発明の移動通信システムの一実施形態の移動通信システム（以降、システムという）１０の概略の構成図である。図１中のシステム１０は基地局Ａと隣接基地局Ｂとが隣接して構成され、基地局Ａの管理するセルに移動局Ｐが在圏する状態を示している。勿論、隣接基地局及び在圏する移動局は複数であってもよい。
【００１４】
本システム１０では、基地局Ａの送受信可能なサービスエリアであるセルに在圏する移動局Ｐが基地局Ａに対して、移動局Ｐが現在の在圏セルに隣接する周辺セルに関する端末所持情報を送信すると、この送信内容に応じて、基地局Ａは、周辺セル情報と周辺セル情報の版数を通知するか否かの要否を判定し、通知が必要な場合のみ、周辺セル情報と版数を通知するように構成されている。
ここで、版数とは、周辺セル情報を一意的に特定することのできる情報であり、周辺セル情報が更新されるたびに新たな版数の番号となる。端末所持情報とは、移動局Ｐが保持する周辺セル情報の版数、あるいは、版数を保持しないときは版数を保持しないことを表す非保持情報を含む情報である。また、周辺セル情報と版数の通知が必要な場合とは、移動局Ｐが保持する版数が、基地局Ａが取得する最新の版数でない場合、あるいは、端末所持情報が、移動局Ｐが版数を保持しないことを表す非保持情報を含む場合である。
【００１５】
ネットワークの整備や、基地局の変更等によって周辺セルが再構築される場合、周辺セル情報も変更される。この場合基地局Ａや移動局Ｐが保持する周辺セル情報も、セルを跨って移動局Ｐが移動するときハンドオーバ処理がスムーズにできるように、最新の周辺セル情報に更新されることが必要である。
【００１６】
本システム１０では、移動局Ｐは周辺セル情報ではなく版数を基地局Ａに送信し、また、版数が最新の場合、基地局Ａは周辺セル情報と版数を通知する必要がなくなるので、移動局と基地局間の制御信号トラフィックの削減が可能となる。
また、ハンドオーバ時、基地局Ａは隣接基地局Ｂとの間で版数を用いて周辺セル情報に関する送受信を行い、基地局Ａが保持する版数が最新の場合、隣接基地局Ｂは周辺セル情報と版数を通知する必要がなくなるので、基地局間の制御信号トラフィックの削減が可能となる。
以下、基地局および移動局の構成から説明する。
【００１７】
（基地局の構成）
図１は、基地局Ａの機能別構成図である。基地局Ａ、隣接基地局Ｂはいずれも同じ構成であるため、基地局Ａについて説明し、隣接基地局Ｂの説明は省略する。
基地局Ａは、移動局Ｐから送信された版数に応じて、移動局Ｐが現在位置する在圏セルの最新の周辺セル情報、あるいは移動局Ｐが隣接するセルに移動しようとするとき、移動先セルの最新の周辺セル情報を最新の版数とともに移動局Ｐに返信する機能を有する。
基地局Ａは、無線制御部１２と、対移動局通信部１４と、セル情報／ハンドオーバ管理部１６と、他基地局情報データベース１８と、自基地局情報データベース２０と、対基地局通信部２２と、を有する。
【００１８】
無線制御部１２は、移動局Ｐとの間で無線の送受信を行う機能を有する。例えば、移動局Ｐからの各種の無線信号を終端して受信し、さらに、移動局Ｐに対するページング信号、報知信号あるいは制御信号等を生成して無線による送信を行う。
【００１９】
対移動局通信部１４は、移動局Ｐとの間でメッセージの送受信を行い、呼接続処理を行う。後述するように、対移動局通信部１４は、無線制御部１２を通して、後述する移動局Ｐから送信された端末所持情報に応じて、最新の周辺セル情報を、最新の版数とともに移動局Ｐに通知する機能を有する。
【００２０】
セル情報／ハンドオーバ管理部１６は、基地局毎に持つ自らのセルのセル情報と、隣接する周辺セルの周辺セル情報を管理し、またハンドオーバ処理を管理制御する。セル情報／ハンドオーバ管理部１６は、後述するように、移動局Ｐから送信された端末所持情報に応じて、移動局Ｐの在圏セルあるいは移動先セルの最新の周辺セル情報及び最新の版数を取得するように管理する。
また、セル情報／ハンドオーバ管理部１６は、最新の周辺セル情報と最新の版数とを取得するとともに、移動局Ｐから送信された端末所持情報に基づいて、最新の周辺セル情報を、最新の版数とともに移動局Ｐに通知する必要があるか否かを判定する。移動局Ｐから送信された端末所持情報が最新の版数を含んでいる場合移動局Ｐへの通知を不要とする。
【００２１】
他基地局情報データベース１８は、基地局Ａに隣接する隣接基地局Ｂの管理するセルのセル情報とともに、このセルに隣接する周辺セルのセル情報である周辺セル情報を、版数と関連付けて記録保持している。版数は、周辺セル情報を特定する情報であり、周辺セル情報のバージョン情報である。本システム１０では版数が用いられるが、版数に替えて、アルファベットや文字等で表される識別情報を用いることもできる。
自基地局情報データベース２０は、基地局Ａが管理するセルのセル情報を記録保持する。
対基地局通信部２２は、隣接基地局Ｂとの間で、基地局を跨る制御信号やセル情報の送受信を行う。後述するように、ハンドオーバ処理時、移動先セルの周辺セル情報および版数、あるいはこの版数を保持しないことを表す非保持情報を含む基地局所持情報の送受信を行う。本システム１０では、基地局Ａは１つの隣接基地局と接続されているが、複数の隣接基地局と接続されてもよい。
【００２２】
（移動局の構成）
図１は、移動局Ｐの機能構成図である。
移動局Ｐは、携帯電話等のように、基地局Ａからの着信要求に応じて基地局Ａとの接続処理を行い、基地局Ａに対して位置登録要求、接続要求あるいはハンドオーバ要求等を行うとともに、さらに、移動局Ｐが保持する版数、あるいはこの版数を保持していない場合、周辺セル情報および版数を保持していないことを表す非保持情報を、基地局Ａに送信する機能を有する。
移動局Ｐは、無線制御部３０と、着信制御部３２と、対基地局通信部３４と、セル情報管理部３６と、呼管理情報データベース３８と、セル情報データベース４０とを有する。移動局Ｐは、ディスプレイ等を有するが、図示は省略されている。
【００２３】
無線制御部３０は、基地局Ａからの無線信号を受信して終端して受信し、種々の無線信号を生成して基地局Ａに送信する、無線による送受信機能を有する。
着信制御部３２は、無線制御部３０からページング信号を受信すると、着信要求の場合着信処理を開始する。
対基地局通信部３４は、基地局Ａとの間でメッセージの送受信を行い、発信や着信およびハンドオーバ等の処理を行う。また、対基地局通信部３４は、呼管理情報データベース３８に保持する呼管理情報を更新する。後述するように、対基地局通信部３４は、在圏セルあるいは移動先セルの周辺セル情報の版数あるいはこの版数を保持していないことを表す非保持情報を含む端末所持情報等を、無線制御部３０を通して無線アップリンク信号として基地局Ａに送信する。
セル情報管理部３６は、移動局Ｐの在圏セルや移動先セルの受信状態の調査、在圏セルあるいは移動先セルのセル情報、このセルの周辺セル情報、在圏管理テーブルの呼び出し、このテーブルの更新、記録、あるいはハンドオーバ条件の判定等の処理や管理を行う。
呼管理情報データベース３８は、移動局Ｐの呼管理情報を保持する。
【００２４】
セル情報データベース４０は、移動局Ｐの在圏セルあるいは移動先セルのセル情報やこのセルの周辺セル情報を、版数と関連付けて記録保持している。必要に応じて、これらの情報は、セル情報管理部３６から呼び出され、更新される。セル情報データベース４０は、さらに、後述する在圏管理テーブルを、過去に移動局Ｐが在圏したセルの履歴情報として記録保持する。在圏管理テーブルは、セルＩＤであるサービスエリア識別子と、在圏回数と、在圏時間と、最新入時刻および最新出時刻の情報がそれぞれ対応されて記録されているテーブルである。
【００２５】
（移動局、基地局の保持するテーブルの説明）
図２（ａ）は、移動局Ｐのセル情報データベース４０に保持される周辺セル情報を含むテーブルの一例を示している。テーブルには、セルＩＤとセルＩＤに対応するセルの周辺セル情報が、版数とともに記録されている。例えば、項１には、版数「２」の情報として、セルＩＤ「ａ」に対応するセルの周辺セル情報が、「ｄ，ｅ，ｆ，・・・」となっている。「ｄ，ｅ，ｆ」は、隣接するセルＩＤである。周辺セル情報は、このセルＩＤ「ｄ，ｅ，ｆ」の他に、セル「ｄ」、セル「ｅ」、セル「ｆ」のそれぞれにおける各種情報（周波数帯域、スクランブリングコード等）を含む。
【００２６】
図２（ｂ）は、基地局Ａの他基地局情報データベース１８に保持されている周辺セル情報を記録したテーブルの一例を示している。周辺セル情報は、基地局Ａ，Ｂ，Ｃ等が管理するセル毎に、版数情報とともに記録、保持されている。例えば、基地局「Ａ」はセルＩＤ「ａ」のセルとセルＩＤ「ｂ」のセルとを管理対象とし、セル「ａ」の周辺セル情報として、「ｄ，ｅ，ｆ・・・」を版数「２」として保持している。この場合、版数「２」は、図２（ａ）に示す移動局Ｐのセル「ａ」の周辺セル情報の版数と同じであるため周辺セル情報は同じである。版数が異なれば、周辺セル情報は異なる。
【００２７】
図２（ｃ）は、セル情報データベース４０が保持する在圏管理テーブルの一例を示している。在圏管理テーブルは、セルＩＤであるサービスエリア識別子に対応して、サービスエリアに在圏した回数と在圏時間と最新入時刻および最新出時刻が履歴情報として記録されている。例えば、「サービスエリア１」では、在圏回数が「３０回」、在圏時間が「４５００分」、最新入時刻が「５月２０日２０時００分」、最新出時刻が「５月２１日６時００分」である。在圏回数とは、他のサービスエリアからサービスエリア１に過去何回移動して在圏したかを示す回数である。在圏時間は、在圏入時刻と出時刻との差分をとることによって得られる時間の累積時間である。最新入時刻および最新出時刻は、「サービスエリア１」に入った最新の時刻および「サービスエリア１」から出た最新の時刻である。これらの情報は、サービスエリア毎に管理され、サービスエリアを跨って移動するとき、更新される。
【００２８】
このようなシステム１０では、以下に示すように、移動局Ｐと基地局Ａとの間で、周辺セル情報、版数の送受信が行われる。
図３（ａ），（ｂ）および図４は、基地局Ａが移動局Ｐから接続要求を受けた場合に行われる周辺セル情報に関する情報の送受信のフローを示している。図５，６は、移動局Ｐが基地局Ａの管理するセルから基地局Ｂの管理するセルに移動しようとし、移動局Ｐからハンドオーバ要求が送信される場合に行われる周辺セル情報に関する情報の送受信のフローを示している。以下、移動局Ｐが接続要求をする場合と、移動局Ｐがハンドオーバを要求する場合についてフローを説明する。
【００２９】
（ケース１）：移動局Ｐが接続要求し、移動局Ｐが版数を保持していない場合
図３（ａ）に示すように、接続要求を移動局Ｐが基地局Ａに対して行う場合、接続要求のための信号を対基地局通信部３４は生成し、無線制御部３０を通してこの信号を基地局Ａに送信する（ステップＳ１０）。この送信する信号は、接続要求の他に、在圏セル「ｂ」の識別情報「ｂ」と、この在圏セル「ｂ」の周辺セル情報を移動局Ｐが保持していないことを表す非保持情報とを含んでいる。
【００３０】
基地局Ａは、移動局Ｐの接続要求に対して、対移動局通信部１４からセル情報／ハンドオーバ管理部１６に接続処理の依頼が出され、セル情報／ハンドオーバ管理部１６は接続処理を開始する。このとき、接続要求に付随して送信された在圏セル「ｂ」の識別情報「ｂ」と周辺セル情報の版数、この場合、版数を保持しないことを表す非保持情報が、セル情報／ハンドオーバ管理部１６に送られる。セル情報／ハンドオーバ管理部１６は、送られた情報と、自ら保持するセル「ｂ」の版数との照合を行う。この場合、送られた情報は、版数を保持しないことを表す非保持情報を含み、基地局Ａが保持するセル「ｂ」の周辺セル情報の版数は「２」である。このため、セル情報／ハンドオーバ管理部１６は、版数差があり移動局Ｐへの通知が必要であると判定する。セル情報／ハンドオーバ管理部１６は、版数差があることを情報として含んだ接続応答の信号を対移動局通信部１４にて生成させ、無線制御部１２を通してこの信号を返信する（ステップＳ１２）。さらに、セル情報／ハンドオーバ管理部１６は、基地局Ａが保持する周辺セル情報「ｄ，ｅ，ｆ，・・・」と版数「２」とを他基地局情報データベース１８から呼び出す。対移動局通信部１４は、呼び出した周辺セル情報「ｄ，ｅ，ｆ，・・・」と版数「２」を最新の周辺セル情報および最新の版数とする信号を生成し、この信号を無線制御部１２を通して移動局Ｐに送信して、最新の周辺セル情報および最新の版数を通知する（ステップＳ１４）。
【００３１】
移動局Ｐは、送信された周辺セル情報「ｄ，ｅ，ｆ，・・・」と版数「２」を、最新の周辺セル情報および最新の版数として、セル情報データベース４０のテーブルに書き込みテーブルを更新する。移動局Ｐの対基地局通信部３４は、テーブルの更新後、周辺セル情報の通知に対する応答信号を生成し、この応答信号を無線制御部３０を通して基地局Ａに送信する（ステップＳ１６）。移動局Ｐは、更新された周辺セル情報を用いて、周辺セルの受信状態を監視する。
【００３２】
（ケース２）：移動局Ｐが接続要求し、移動局Ｐと基地局Ａとの間で版数差がない場合
図３（ｂ）に示すように、接続要求の際、移動局Ｐは在圏セル「ｂ」の識別情報「ｂ」と、在圏セル「ｂ」の周辺セル情報の、移動局Ｐが保持する版数「２」を、接続要求のための無線アップリンク信号に含ませた信号を、対移動局通信部３４は生成し、この信号を無線制御部３０を通して基地局Ａに送信する（ステップＳ２０）。
基地局Ａのセル情報／ハンドオーバ管理部１６は、移動局Ｐの接続要求に対して、接続処理を開始する。また、セル情報／ハンドオーバ管理部１６は、移動局Ｐから送信されたセル「ｂ」の周辺セル情報の版数「２」を、基地局Ａが対基地局情報データベース１８に保持するセル「ｂ」の周辺セル情報に関する版数と比較照合し、通知が必要か否かを判定する。この場合、版数は一致するので、セル情報／ハンドオーバ管理部１６は、版数差がないので通知は不要と判定する。基地局Ａの対移動局通信部１４は、版数差なしの情報を含んだ接続応答の信号を生成し、無線制御部１２を通してこの生成した信号を移動局Ｐに返信する（ステップＳ２２）。
このとき、基地局Ａの保持する周辺セル情報は、移動局Ｐの保持する周辺セル情報と同じであるので、移動局Ｐの保持する周辺セル情報と版数の情報の通知は不要と判断して、通知を中止する。したがって、周辺セル情報の通知に対する応答信号の送信も行われない。移動局Ｐは、版数差がないことを知るので、周辺セル情報を更新することなく移動局Ｐが保持する周辺セル情報を以前と同じように用いて、周辺セルの受信状態を監視する。したがって、これにより、移動局と基地局間の制御信号トラフィックは削減される。
【００３３】
（ケース３）：移動局Ｐが接続要求し、移動局Ｐと基地局Ａとの間で版数差がある場合
図４に示すように、移動局Ｐの対基地局通信部３４は、接続要求の際、在圏セル「ｂ」の識別情報「ｂ」と、在圏セル「ｂ」の周辺セル情報の、移動局Ｐが保持する版数「１」の情報とを含んだ接続要求のための信号を生成し、無線制御部３０を通してこの信号を基地局Ａに送信する（ステップＳ３０）。
基地局Ａのセル情報／ハンドオーバ管理部１６は、移動局Ａの接続要求に対して、接続処理を開始する。また、基地局Ａのセル情報／ハンドオーバ管理部１６は、移動局Ｐから送信された在圏セル「ｂ」の周辺セル情報に関する版数「１」を、基地局Ａが他基地局情報データベース１８に保持するセル「ｂ」の周辺セル情報の版数と比較照合し、通知の必要があるか否かを判定する。この場合、基地局Ａは版数「２」の周辺セル情報を保持するので、版数差があり、通知が必要と判定する。したがって、対移動局通信部１４は、版数差ありとの情報を含んだ接続応答の信号を生成し、この信号を無線制御部１２を通して移動局Ｐに返信する（ステップＳ３２）。
さらに、基地局Ａのセル情報／ハンドオーバ管理部１６は、基地局Ａが保持する周辺セル情報「ｄ，ｅ，ｇ，・・・」および版数「２」を他基地局情報データベース１８から呼び出し、対移動局通信部１４はこれらの情報を最新のセル情報および最新の版数とする信号を生成し、この生成した信号を無線制御部１２を通して移動局Ｐに送信して、最新のセル情報および最新の版数の情報を通知する（ステップＳ３４）。
【００３４】
移動局Ｐでは、送信された周辺セル情報「ｄ，ｅ，ｇ，・・・」と版数「２」が、最新のセル情報および版数としてセル情報データベース４０のテーブルに書き込まれて更新される。移動局Ｐの対基地局通信部１４は、テーブルの更新後、周辺セル情報の通知に対する応答信号を生成し、この信号を無線制御部３０を通して基地局Ａに送信する（ステップＳ３６）。移動局Ｐは、更新された周辺セル情報を用いて、周辺セルの受信状態を監視する。
【００３５】
（ケース４）：移動局Ｐがハンドオーバを要求し、版数差がある場合
図５は、移動局Ｐが通信中ハンドオーバを要求し、版数差がある場合の流れを示している。図５に示すように、移動局Ｐの接続要求に応じて移動局Ｐと基地局Ａとが接続され通信が行われる。このときの接続要求は、図４（ａ），（ｂ）に示される流れと同様である。
この接続要求の際、移動局Ｐは基地局Ａが保持する在圏セル「ａ」の周辺セル情報と版数「２」とが基地局Ａから通知されて、在圏セル「ａ」の、版数「２」の周辺セル情報「ｄ，ｅ，ｆ，・・・」が通知され、移動局Ｐの周辺セル情報は図５に示すように、基地局Ａが保持する在圏セル「ａ」の周辺セル情報および版数と同じ内容を持つテーブルＴ１０の状態になっている。
【００３６】
この状態で、セル情報管理部３６が隣接基地局Ｂへのハンドオーバ（ＨＯ）を要求すると、ハンドオーバのための信号を対基地局通信部３４は生成し、無線制御部３０を通して、図５に示すように、この信号を移動局Ｐから基地局Ａに送信する（ステップＳ５０）。この送信される信号は、ハンドオーバ要求の他に、移動先セル「ｄ」に関する周辺セル情報として、移動局Ｐが周辺セル情報を非保持であることを表す版数なしの情報を含んでいる。
ハンドオーバ要求を受けた基地局Ａのセル情報／ハンドオーバ管理部１６は、ハンドオーバ処理を開始するとともに、セル情報／ハンドオーバ管理部１６は、ハンドオーバ先の基地局Ｂへの接続要求を行う。このとき、セル情報／ハンドオーバ管理部１６は、基地局Ａの他基地局情報データデース１８が保持する移動先セル「ｄ」の周辺セル情報の版数「２」を呼び出し、対基地局通信部２２は、移動先セル「ｄ」の識別情報「ｄ」と版数「２」を含んだ接続要求の信号を生成し、隣接基地局Ｂに送信する（ステップＳ５２）。
【００３７】
隣接基地局Ｂは、送信された信号に含まれているセル「ｄ」の周辺セル情報に関する版数「２」を、隣接基地局Ｂが保持するセル「ｄ」の周辺セル情報の版数と比較する。この場合、隣接基地局Ｂは版数「３」を保持するので、版数差があると判定する。この判定は、基地局Ａのセル情報／ハンドオーバ管理部１６と同様の図示されないセル情報／ハンドオーバ管理部によって行われる。したがって、隣接基地局Ｂは、版数差があり、通知の必要があると判定するので、版数差ありの情報が接続応答の信号に含まれて基地局Ａに返信される（ステップＳ５４）。
さらに、隣接基地局Ｂは、隣接基地局Ｂが保持する、版数「３」の周辺セル情報「ａ，ｈ，ｉ，・・・」および版数「３」を、図示されない隣接基地局Ｂの対基地局情報データベースから呼び出して、最新の周辺セル情報および最新の版数として基地局Ａに通知する（ステップＳ５６）。
【００３８】
基地局Ａのセル情報／ハンドオーバ管理部１６は、通知された周辺セル情報「ａ，ｈ，ｉ，・・・」および版数「３」の情報を、他基地局情報データベース１８のテーブルに書き込みテーブルを更新する。基地局Ａの対基地局通信部２２は、テーブルの更新後、応答信号を隣接基地局Ｂに送信する（ステップＳ５８）。
次に、基地局Ａのセル情報／ハンドオーバ管理部１６は、ステップＳ５０において、移動局Ｐから移動先セル「ｄ」の周辺セル情報について版数なしの情報を受けている。基地局Ａが保持する移動先セル「ｄ」の周辺セル情報の版数は「３」であるので、この場合、版数差がある、したがって、セル情報／ハンドオーバ管理部１６は、周辺セル情報および版数の通知が必要であると判定する。したがって、基地局Ａの対移動局通信部１４は、版数差ありとの情報を含んだ、ハンドオーバ要求に対する応答信号を生成し、この信号を無線制御部１２を通して移動局Ｐに返信する（ステップＳ６０）。さらに、基地局Ａのセル情報／ハンドオーバ管理部１６は、基地局Ａが保持する周辺セル情報「ａ，ｈ，ｉ，・・・」および版数「３」を呼び出し、対移動局通信部１４はこれらの情報を最新の周辺セル情報および最新の版数として含んだ信号を生成し、無線制御部１２を通してこれらの信号を移動局Ｐに送信して最新の周辺セル情報および最新の版数を通知する（ステップＳ６２）。
【００３９】
移動局Ｐでは、基地局Ａから送信された周辺セル情報「ａ，ｈ，ｉ，・・・」および版数「３」が、最新の周辺セル情報および最新の版数としてセル情報データベース４０のテーブルＴ１０に書き込まれて更新される。移動局Ｐの対基地局通信部３４は、テーブルＴ１０の更新後、周辺セル情報の通知に対する応答信号を生成し、この信号を、無線制御部３０を通して基地局Ａに送信する（ステップＳ６４）。移動局Ｐは、更新された周辺セル情報を、移動先セルにおいて周辺セルの受信状態を監視するために用いる。
【００４０】
（ケース５）：移動局Ｐがハンドオーバを要求し、版数差がない場合
図６は、移動局Ｐが通信中ハンドオーバを要求し、基地局間で版数差がない場合の流れを示している。図６に示すように、移動局Ｐの接続要求に応じて移動局Ｐと基地局Ａとが接続される。この接続要求は、図４（ａ），（ｂ）に示される流れと同様である。
接続要求の際、移動局Ｐの保持する版数は、基地局Ａが保持する版数と同じであるため、基地局Ａが保持する周辺セル情報および版数の情報は基地局Ａから通知されず、移動局Ｐの保持する周辺セル情報は更新されることなく、接続要求前のテーブルＴ１２の状態に維持されている。
この状態で、セル情報管理部３６が隣接基地局Ｂへのハンドオーバ（ＨＯ）を要求すると、対基地局通信部３４は、隣接基地局Ｂへのハンドオーバ（ＨＯ）を要求する信号を生成し、図６に示すように、無線制御部３０を通して基地局Ａに送信する（ステップＳ７０）。この送信される信号は、ハンドオーバ要求の他に、移動先セル「ｄ」の識別情報「ｄ」と、この移動先セル「ｄ」の周辺セル情報の版数「３」を含んでいる。
【００４１】
ハンドオーバ要求を受けた基地局Ａのセル情報／ハンドオーバ管理部１６は、ハンドオーバ処理を開始し、ハンドオーバ先の隣接基地局Ｂへの接続要求を行う。このとき、基地局Ａが保持する移動先セル「ｄ」の識別情報「ｄ」と周辺セル情報の版数の情報を呼び出し、呼び出した版数「３」と識別情報「ｄ」を含ませた接続要求の信号を隣接基地局Ｂに送信する（ステップＳ７２）。
隣接基地局Ｂは、接続処理を開始するとともに、信号に含まれているセル「ｄ」の周辺セル情報の版数「３」を、隣接基地局Ｂが保持するセル「ｄ」の周辺セル情報の版数と比較する。この場合、隣接基地局Ｂは版数「３」を保持するので、版数差がないと判定する。この判定は、基地局Ａのセル情報／ハンドオーバ管理部１６と同様の図示されないセル情報／ハンドオーバ管理部によって行われる。したがって、隣接基地局Ｂは、版数差はないので、版数差なしの情報を接続応答の信号に含ませて基地局Ａに返信する（ステップＳ７４）。また、周辺セル情報と版数の情報の通知は不要と判定して、通知を中止する。したがって、周辺セル情報の通知に対する応答信号の送信も行われない。これにより、基地局間の制御信号トラフィックの削減が実現される。
【００４２】
基地局Ａのセル情報／ハンドオーバ管理部１６は、移動局Ｐから送信されたセル「ｄ」の周辺セル情報に関する版数「３」を、移動局Ｐから送信された移動先のセル「ｄ」の周辺セル情報に関する版数「３」と比較照合し、通知の必要があるか否かを判定する。この場合、版数は同じである。したがって、対移動局通信部１４は、版数差なしとの情報を含んだハンドオーバ要求に対する応答信号を生成し、無線制御部１２を通して移動局Ｐに返信する（ステップＳ７６）。このとき、基地局Ａの保持する周辺セル情報は、移動局Ｐの保持する周辺セル情報と同じであるので、通知は不要と判断して、周辺セル情報および版数の通知を中止する。したがって、通知に対する応答信号の送信も行われない。
【００４３】
上述したように、移動局Ｐから接続要求を受けたとき、移動局Ｐが保持する周辺セル情報の版数の情報を基地局Ａに送信する。基地局Ａでは、この送信された版数の情報と、基地局Ａの保持する版数との間で版数差がある場合、基地局Ａは、基地局Ａの保持する版数とこの版数に対応する周辺セル情報とを最新の版数および周辺セル情報として移動局Ｐに通知する。しかし、移動局Ｐから送信された版数が、基地局Ａの保持する版数と同じ場合、通知は不要となる。このため、基地局Ａが周辺セル情報を一方的に送信する従来技術に比べて、移動局Ｐと基地局Ａ間の制御信号トラフィックは削減される。
【００４４】
また、ハンドオーバ要求を移動局Ｐから受けたとき、基地局Ａは、移動局Ｐが保持する移動先セルの周辺セル情報の版数の情報も受信する。このとき、基地局Ａは、基地局Ａが保持する移動先セルの周辺セル情報の版数の情報を隣接基地局Ｂに送信する。隣接基地局Ｂでは、送信された版数の情報と、隣接基地局Ｂが保持する移動先セルの周辺セル情報の版数との間で版数差を有する場合、隣接基地局Ｂは、保持する版数の情報とこの版数に対応する周辺セル情報とを基地局Ａに通知する。しかし、基地局Ａから送信された版数が、隣接基地局Ｂが保持する移動先セルの周辺セル情報の版数と一致する場合、通知は不要となる。このため、基地局間で周辺セル情報を常に送受信する従来技術に比べて、基地局間の制御信号トラフィックは削減される。
一方、隣接基地局Ｂから通知された版数と移動局Ｐから送信された版数の情報との間で版数差を有する場合、基地局Ａは、隣接基地局Ｂから通知された版数の情報と対応する周辺セル情報とを移動局Ｐに通知する。しかし、隣接基地局Ｂから通知された版数と移動局Ｐから送信された版数が同じ場合、通知は不要となる。このため、移動局と基地局間の制御信号トラフィックは一層削減される。したがって、周辺セル情報の送受信のための基地局や移動局における処理も軽減される。
【００４５】
さらに、本システム１０は、ハンドオーバ時、移動先の基地局を効率よく定めることができる。図７は、移動局Ｐが複数のセルを跨って移動する状態にある例を示す図である。図中では、セルをサービスエリアとし、基地局１〜４がそれぞれ管理するサービスエリアをサービスエリア１〜４として示している。図７では、移動局Ｐがサービスエリア１，２，３，４に在圏する場合、それぞれ順に移動局Ｐ１、Ｐ２，Ｐ３，Ｐ４として示している。ここで、サービスエリア１に在圏する移動局Ｐ１は、サービスエリア２に移動して移動局Ｐ２となり、さらにサービスエリア３の端部を通過する移動局Ｐ３となり、最終的にサービスエリア４に在圏する移動局Ｐ４となる。このとき、移動局Ｐ３がサービスエリア３内の端部を移動するため、在圏時間が短い場合を想定する。
このとき、本システム１０では、移動局Ｐ３がサービスエリア３の端部を短時間で移動することを考慮して、基地局２から基地局３ではなく基地局４にハンドオーバするように、図２（ｃ）に示す在圏管理テーブルに基づいてハンドオーバ先の基地局を定める。
【００４６】
移動局Ｐのセル情報データベース４０には、図２（ｃ）に示すような在圏管理テーブルが保持されている。ハンドオーバ条件は、この在圏管理テーブルに記憶される履歴情報を用いて定められる。具体的には、１回当たりの在圏時間が短く、かつ、そのサービスエリアへの最新入時刻および最新出時刻が、現時刻から所定の時間以内の条件を満たすことを、ハンドオーバ条件の１つとして課している。
【００４７】
（在圏管理テーブルの作成、更新方法）
まず、移動局Ｐ１がサービスエリア１を移動してサービスエリア２に移動し、移動局Ｐ２となる場合の在圏管理テーブルの作成、更新方法を、図８（ａ）に基づいて説明する。在圏管理テーブルの作成、更新は、セル情報管理部３６によって行われる。
図８（ａ）に示すように、まず、移動局Ｐ１は、基地局１のサービスエリア１内から出発する。最初に、サービスエリア１に在圏する移動局Ｐ１は、在圏セルＢ１以外の周辺セル情報を獲得する（ステップＳ１００）。周辺セル情報は、移動局Ｐ１のセル情報データベース４０から周辺セル情報を呼び出して獲得される。あるいは、前述したように基地局１からの通知により獲得される。移動局Ｐ１は、この周辺セル情報に基づいて、移動先候補となるサービスエリア２，３の報知情報を受信し、移動の有無を監視する。
【００４８】
つぎに、移動局Ｐ１の在圏するサービスエリア１とその周辺セルのサービスエリア２，３の報知情報を受信する（ステップＳ１０２）。
次に、サービスエリア１の受信状態(受信パワー)と、サービスエリア２，３の無線状態（受信パワー）を比較する（ステップＳ１０４）。サービスエリア２の受信状態が良好で、受信パワーが所定の閾値を越える場合、移動局Ｐ１の移動先はサービスエリア２であると判定し、在圏管理テーブルにおいて、在圏管理テーブルの更新を行う（ステップＳ１０６）。具体的に、図８（ｂ）に示すように、在圏管理テーブル内のサービスエリア１の最新出時刻の欄に現時刻が記録されるとともに、サービスエリア２の最新入時刻の欄に現時刻が記録される。サービスエリア１に在圏した時間が、記録されている在圏時間に積算されて在圏時間が更新される。さらに、サービスエリア２の在圏回数が１つ増加される。
【００４９】
なお、サービスエリア３の受信状態が良好で、受信パワーが所定の閾値を越える場合、移動局Ｐ１の移動先はサービスエリア３であると判定し、在圏管理テーブルにおいて、在圏テーブルの更新を行う（ステップＳ１０８）。具体的に、在圏管理テーブル内のサービスエリア１の最新出時刻の欄に現時刻が記録されるとともに、サービスエリア３の最新入時刻の欄に現時刻が記録される。サービスエリア１に在圏した時間が、記録されている在圏時間に積算されて在圏時間が更新される。さらに、サービスエリア３の在圏回数が１つ増加される。
以上のように、在圏管理テーブルは作成、更新される。
【００５０】
（在圏管理テーブルを用いたハンドオーバのフロー）
図９は、ハンドオーバ時、上記のように更新される在圏管理テーブルを用いて基地局の設定を効率よく行うフローを示している。基地局の設定は、移動局Ｐのセル情報管理部３６により行われる。
まず、在圏するサービスエリアの無線状態が低下し、ハンドオーバの契機が発生する。次に、移動局Ｐは、受信可能なサービスエリアの情報、すなわち、在圏セルの周辺セル情報をセル情報データベース４０から呼び出し、あるいは、基地局Ａから周辺セル情報が通知されて、受信可能なサービスエリアを設定する（ステップＳ１２０）。次に、セル情報データベース４０から在圏管理テーブルを呼び出して、在圏管理テーブルを取得する（ステップＳ１２２）。次に、周辺セル情報からサービスエリアを設定し、このサービスエリアの無線状態を調べる（ステップＳ１２４）。次に、無線状態と、在圏管理テーブル内のサービスエリアの履歴情報とがハンドオーバ条件を満足するか否かを判定する（ステップＳ１２６）。ハンドオーバ条件とは、無線状態（受信パワー）が所定の閾値を越え、かつ、１回の在圏時間が予め設定された在圏時間閾値を越え、かつ、最新入時刻および最新出時刻が現時刻より所定時間以内の以前の時刻であることをいう。
【００５１】
ハンドオーバ条件を満たす場合、基地局へのハンドオーバ要求を実施する（ステップＳ１２８）。一方、ハンドオーバ条件を満たさない場合、全てのサービスエリアのハンドオーバ条件をチェックしたか否かが判定される（ステップＳ１３０）。判定の結果が否定（Ｎｏ）の場合、調査対象のサービスエリアの変更が行われる（ステップＳ１３２）。こうして、ハンドオーバ条件を満足するサービスエリアが見出されるまで、サービスエリアのハンドオーバ条件のチェックが続けられる。全てのサービスエリアのハンドオーバ条件をチェックしたがハンドオーバ条件を満たすサービスエリアが見出されない場合、ハンドオーバ要求は実施されない（ステップＳ１３４）。この場合、移動局Ｐは、在圏サービスエリアから移動しないと判定する。
【００５２】
このように、無線状態の他に、在圏管理テーブル内の履歴情報を用いることで、在圏時間の短いサービスエリアを排除することができる。さらに、極めて古い過去の在圏履歴を排除することができる。
これにより、図７に示す移動局Ｐ３がサービスエリア３の端部を短時間で移動することが履歴情報を用いてわかるので、サービスエリア３をハンドオーバ先のサービスエリアから除外することができ、サービスエリア４をハンドオーバ先のサービスエリアとすることができる。
【００５３】
以上の実施形態に関し、以下の付記を開示する。
【００５４】
（付記１）
移動端末と基地局を備えるセルラ方式の移動通信システムであって、
前記移動端末は、
前記移動端末の在圏セル及びハンドーバ時の移動先セルのうちいずれか一方の対象セルの識別情報と、該対象セルに隣接した周辺セルの情報を表す周辺セル情報と、前記周辺セル情報の版情報と、を互いに関連付けて保持するための端末データベースと、
前記端末データベースに前記対象セルの前記周辺セル情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信する第１の通信部と、を備え、
前記基地局は、
前記対象セルの識別情報に基づいて前記対象セルの最新の周辺セル情報と最新の版情報とを取得するとともに、前記移動端末から送信された前記対象セルの識別情報及び前記版情報又は第１の非保持情報に基づいて、取得した前記最新の周辺セル情報および前記最新の版情報を前記移動端末へ通知するか否かの要否を判定するセル情報管理部と、
前記移動端末への通知を要すると判定する場合、前記最新の周辺セル情報を前記最新の版情報とともに前記移動端末に通知する第２の通信部と、を備えることを特徴とする移動通信システム。
【００５５】
（付記２）
前記第１の通信部が送信する情報が前記版情報を含み、前記移動端末から送信された前記版情報が前記セル情報管理部が取得した最新の版情報と異なるとき、前記セル情報管理部は、前記移動端末への通知を要すると判定する、付記１に記載の移動通信システム。
【００５６】
（付記３）
前記第１の通信部が送信する情報が前記版情報を含み、前記移動端末から送信された前記版情報が前記セル情報管理部が取得した最新の版情報と同じとき、前記セル情報管理部は、前記移動端末への通知を不要と判定し、前記第２の通信部は通知を中止する、付記１または２に記載の移動通信システム。
【００５７】
（付記４）
前記第１の通信部が送信する情報が前記第１の非保持情報を含むとき、前記セル情報管理部は、前記移動端末への通知を要すると判定する、付記１〜３のいずれか１つに記載の移動通信システム。
【００５８】
（付記５）
前記基地局は、前記対象セルの周辺セル情報と版情報とを保持する基地局データベースを有し、
前記セル情報管理部は、前記基地局データベースが保持する前記対象セルの周辺セル情報および版情報を呼び出し前記最新の周辺セル情報および前記最新の版情報として取得する、付記１〜４のいずれか１つに記載の移動通信システム。
【００５９】
（付記６）
前記対象セルが、前記基地局に隣接する隣接基地局が管理する移動先セルであり、前記移動端末から送信された情報が前記版情報を含み、かつ、前記版情報が前記隣接基地局のセルの周辺セル情報に関する情報である場合、
前記基地局は、前記移動先セルの周辺セル情報の版情報を保持するときこの保持する版情報を基地局所持情報として前記隣接基地局に向けて送信し、前記移動先セルの周辺セル情報を保持しないとき周辺セル情報を保持しないことを表す第２の非保持情報を、基地局所持情報として前記隣接基地局に向けて送信し、
前記隣接基地局は、前記基地局所持情報に応じて、前記隣接基地局が保持する前記移動先セルの周辺セル情報および版情報を前記基地局に通知し、
前記セル情報管理部は、前記隣接基地局から通知された周辺セル情報および版情報を、前記最新の周辺セル情報および前記最新の版情報として取得する、付記１〜５のいずれか１つに記載の移動通信システム。
【００６０】
（付記７）
前記基地局所持情報が、前記基地局が保持する版情報を含むとき、前記隣接基地局は、前記基地局から送信された版情報が、前記隣接基地局が保持する前記移動先セルの周辺セル情報の版情報と同じか否かを判定し、前記基地局から送信された版情報が、前記隣接基地局が保持する版情報と同じとき、前記隣接基地局が保持する前記移動先セルの版情報と周辺セル情報を前記基地局に通知することを中止する、付記６に記載の移動通信システム。
【００６１】
（付記８）
前記端末データベースは、基地局に対応したセル毎の在圏回数の情報、在圏時間の情報、および、セルへの最新入時刻と最新出時刻の情報の少なくともいずれか１つを在圏管理テーブルに記録し、
前記移動端末は、ハンドオーバ時、前記在圏管理テーブルを用いてハンドオーバ先の基地局を定める、付記１〜７のいずれか１つに記載の移動通信システム。
【００６２】
（付記９）
前記端末データベースは、基地局に対応したセル毎の在圏回数の情報、在圏時間の情報、および、セルへの最新入時刻と最新出時刻の情報を履歴情報として記録し、
前記移動端末のハンドオーバの条件は、前記在圏回数１回当たりの平均在圏時間が所定時間を超え、かつ、前記最新入時刻および前記最新出時刻が所定の時刻以降である条件を含む、付記９に記載の移動通信システム。
【００６３】
（付記１０）
セルラ方式の移動通信システムに用いる移動端末であって、
前記移動端末の在圏セル及びハンドーバ時の移動先セルのうちいずれか一方の対象セルの識別情報と、この対象セルに隣接した周辺セルの情報を表す周辺セル情報と、前記周辺セル情報の版情報と、を互いに関連付けて保持するための端末データベースと、
前記端末データベースに前記対象セルの前記周辺セル情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信する第１の通信部と、を備えることを特徴とする移動端末。
【００６４】
（付記１１）
前記端末データベースは、基地局に対応したセル毎の在圏回数の情報、在圏時間の情報、および、セルへの最新入時刻と最新出時刻の情報の少なくともいずれか１つを在圏管理テーブルに記録し、
ハンドオーバ時、前記在圏管理テーブルを用いてハンドオーバ先の基地局を定める、付記１０に記載の移動端末。
【００６５】
（付記１２）
前記端末データベースは、基地局に対応したセル毎の在圏回数の情報、在圏時間の情報、および、セルへの最新入時刻と最新出時刻の情報を履歴情報として記録し、
ハンドオーバの条件は、前記在圏回数１回当たりの平均在圏時間が所定時間を超え、かつ、前記最新入時刻および前記最新出時刻が所定の時刻以降である条件を含む、付記１１に記載の移動端末。
【００６６】
（付記１３）
セルラ方式の移動通信システムに用いる基地局であって、
移動端末の在圏セル及びハンドーバ時の移動先セルのうちいずれか一方の対象セルに隣接した周辺セルの情報を表す周辺セル情報の版情報を前記対象セルの識別情報とともに移動端末から受信し、または、該版情報を保持しないことを表す第１の非保持情報を前記対象セルの識別情報とともに移動端末から受信する第２の通信部と、
前記対象セルの識別情報に基づいて前記対象セルの最新の周辺セル情報と最新の版情報とを取得するとともに、前記第２の通信部が受信した前記対象セルの識別情報及び前記版情報又は前記第１の非保持情報に基づいて、取得した前記最新の周辺セル情報および前記最新の版情報を前記移動端末へ通知するか否かの要否を判定するセル情報管理部と、
前記移動端末への通知を要すると判定する場合、前記最新の周辺セル情報を、前記最新の版情報とともに前記移動端末に通知する第２の通信部と、を備えることを特徴とする基地局。
【００６７】
（付記１４）
前記第２の通信部が受信する情報が前記版情報を含み、前記版情報が前記セル情報管理部が取得した最新の版情報と異なるとき、前記セル情報管理部は、前記移動端末への通知を要すると判定する、付記１３に記載の基地局。
【００６８】
（付記１５）
前記第２の通信部が受信する情報が前記版情報を含み、前記移動端末から送信された前記版情報が前記セル情報管理部が取得した最新の版情報と同じとき、前記セル情報管理部は、前記移動端末への通知を不要と判定し、前記第２の通信部は通知を中止する、付記１３または１４に記載の基地局。
【００６９】
（付記１６）
前記第２の通信部が受信する情報が前記第１の非保持情報を含むとき、前記セル情報管理部は、前記移動端末への通知を要すると判定する、付記１３〜１５のいずれか１つに記載の基地局。
【００７０】
（付記１７）
前記基地局は、前記対象セルの周辺セル情報と版情報とを保持する基地局データベースを有し、
前記セル情報管理部は、前記基地局データベースが保持する前記対象セルの周辺セル情報および版情報を呼び出し前記最新の周辺セル情報および前記最新の版情報として取得する、付記１３〜１６のいずれか１つに記載の基地局。
【００７１】
（付記１８）
前記対象セルが、前記基地局に隣接する隣接基地局が管理する移動先セルであり、前記移動端末から送信された情報が前記版情報を含み、かつ、前記版情報が前記隣接基地局のセルの周辺セル情報に関する情報である場合、
前記基地局は、前記移動先セルの周辺セル情報の版情報を保持するときこの保持する版情報を基地局所持情報として前記隣接基地局に向けて送信し、前記移動先セルの周辺セル情報を保持しないとき周辺セル情報を保持しないことを表す第２の非保持情報を基地局所持情報として前記隣接基地局に向けて送信し、
前記隣接基地局は、前記基地局所持情報に応じて、前記隣接基地局が保持する前記移動先セルの周辺セル情報および版情報を前記基地局に通知し、
前記セル情報管理部は、前記隣接基地局から通知された周辺セル情報および版情報を、前記最新の周辺セル情報および前記最新の版情報として取得する、付記１３〜１７のいずれか１つに記載の基地局。
【００７２】
（付記１９）
前記基地局所持情報が、前記基地局が保持する版情報を含むとき、前記隣接基地局は、前記基地局から送信された版情報が、前記隣接基地局が保持する前記移動先セルの周辺セル情報の版情報と同じか否かを判定し、前記基地局から送信された版情報が、前記隣接基地局が保持する版情報と同じとき、前記隣接基地局が保持する前記移動先セルの版情報と周辺セル情報を前記基地局に通知することを中止する、付記１８に記載の基地局。
【００７３】
（付記２０）
基地局と移動端末との間の通信により、移動端末が周辺セル情報を取得する方法であって、
移動端末の在圏セル及びハンドーバ時の移動先セルのうちいずれか一方の対象セルの識別情報と、この対象セルに隣接した周辺セルの情報を表す周辺セル情報と、前記周辺セル情報の版情報と、を互いに関連付けて保持するための端末データベースを移動端末は有し、
前記移動端末は、前記端末データベースに前記版情報を保持するときは前記版情報を前記対象セルの識別情報とともに基地局に向けて送信し、前記端末データベースに前記版情報を保持しないときは前記版情報を保持しないことを表す第１の非保持情報を前記対象セルの識別情報とともに基地局に向けて送信するステップと、
前記基地局は、前記対象セルの識別情報に基づいて前記対象セルの最新の周辺セル情報と最新の版情報とを取得するとともに、前記移動端末から送信された前記対象セルの識別情報及び前記版情報又は第１の非保持情報に基づいて、取得した前記最新の周辺セル情報および前記最新の版情報を前記移動端末へ通知するか否かの要否を判定するステップと、
前記基地局は、前記移動端末への通知を要すると判定する場合、前記最新の周辺セル情報を前記最新の版情報とともに前記移動端末に通知するステップと、を有することを特徴とする周辺セル情報取得方法。
【００７４】
以上、本発明の移動通信システム、移動端末、基地局および周辺セル情報取得方法について詳細に説明したが、上記実施形態に限定されず、本発明の主旨を逸脱しない範囲において、種々の改良や変更をしてもよいのはもちろんである。
【符号の説明】
【００７５】
１０  移動通信システム
１２，３０  無線制御部
１４  対移動局通信部
１６  セル情報／ハンドオーバ管理部
１８  他基地局情報データベース
２０  自基地局情報データベース
２２  対基地局通信部
３２  着信制御部
３４  対基地局通信部
３６  セル情報管理部
３８  呼管理情報データベース
４０  セル情報データベース
【図１】
2010226602.tif 000003
【図２】
2010226602.tif 000004
【図３】
2010226602.tif 000005
【図４】
2010226602.tif 000006
【図５】
2010226602.tif 000007
【図６】
2010226602.tif 000008
【図７】
2010226602.tif 000009
【図８】
2010226602.tif 000010
【図９】
2010226602.tif 000011